(57)【要約】【課題】ショーケース全体を大型化することなく、商品の陳列数の増大化を図ることができるショーケースの商品陳列棚を提供すること。【解決手段】ケース本体１の収納室２を画成する背面パネル２ａにそれぞれ支持され、かつ前端域にブラケットローラ部材２２が配設された左右一対のブラケット２０と、ブラケット２０に係合手段を介して係合され、それぞれが左右一対の下延部３１２Ｌ，３１２Ｒの後端域に棚板ローラ部材３２が配設された棚板３０とを備え、係合手段は、棚板ローラ部材３２の前方域に配設され、かつブラケットローラ部材２２が相対的に前後方向に沿って移動することを許容する棚板レール部３４と、ブラケットローラ部材２２の後方域に配設され、かつ棚板ローラ部材３２を相対的に前後方向に沿って移動可能に支持するブラケットレール部２４を備え、棚板３０をブラケット２０に対し前後方向に沿って移動可能に係合させるものである。【選択図】図３
2013179990.tif 000002
【特許請求の範囲】
【請求項１】
前面に開口が形成されたケース本体の収納室に上下方向に沿って複数段設けられ、かつ収納対象である商品を陳列するものであり、
前記収納室を画成する背面パネルの支柱にそれぞれ支持され、かつ互いに対向する対向面の前端域に第１滑動部材が配設された左右一対のブラケット部材と、
前記ブラケット部材に係合手段を介して係合されており、上面が前記商品を載置する商品載置面を構成し、かつ下面よりそれぞれが前記対向面に対向する態様で下方に延在する左右一対の下延部の後端域に第２滑動部材が配設された棚板と
を備えたショーケースの商品陳列棚において、
前記係合手段は、
前記棚板のそれぞれの下延部における前記第２滑動部材の前方域に配設され、かつ該下延部が対向する対向面に配設された第１滑動部材に載置された状態で該第１滑動部材が相対的に前後方向に沿って移動することを許容する棚板レール部と、
前記ブラケット部材の対向面における前記第１滑動部材の後方域に配設されており、該対向面が対向する下延部に配設された第２滑動部材の進入を許容し、かつ進入した第２滑動部材を相対的に前後方向に沿って移動可能に支持する縦断面が略コ字状のブラケットレール部と
を備え、前記棚板を前記ブラケット部材に対し前後方向に沿って移動可能に係合させたことを特徴とするショーケースの商品陳列棚。
【請求項２】
前記ブラケットレール部は、相対的に前方に向けて移動する前記第２滑動部材に当接された場合に、該第２滑動部材がそれ以上相対的に前方に向けて移動することを規制するストッパ部材を備えたことを特徴とする請求項１に記載のショーケースの商品陳列棚。
【請求項３】
前記ブラケットレール部は、相対的に後方に向けて移動する前記第２滑動部材が予め設定された移動限界位置に達した場合に、該第２滑動部材を係止させるブラケット係止部を備え、
前記棚板レール部は、前記第２滑動部材が前記ブラケット係止部に係止する場合に、前記第１滑動部材を係止させる棚板係止部を備えたことを特徴とする請求項１又は請求項２に記載のショーケースの商品陳列棚。
【請求項４】
前記ブラケット係止部は、前記第２滑動部材の一部が進入することで該第２滑動部材と係止状態になるブラケット凹部及びブラケット孔部の少なくとも一方により構成され、
前記棚板係止部は、前記第１滑動部材の一部が進入することで該第１滑動部材と係止状態になる棚板凹部及び棚板孔部の少なくとも一方により構成されることを特徴とする請求項３に記載のショーケースの商品陳列棚。
【発明の詳細な説明】
【技術分野】
【０００１】
本発明は、ショーケースの商品陳列棚に関し、より詳細には、収納対象となる商品を所望の温度状態に保持するようにしたショーケースに適用される商品陳列棚に関するものである。
【背景技術】
【０００２】
従来、収納対象となる商品を所望の温度状態に保持するようにしたショーケースとして、次のようなものが知られている。例えば前面に開口が形成されたケース本体の収納室に複数の商品陳列棚が上下方向に沿って複数段設けられており、それぞれの商品陳列棚に商品が載置されることで陳列されている。また、ケース本体内であって収納室外となる個所には、吸込口を通じて吸い込んだ収納室の内部空気を冷却する冷却器が配設されており、この冷却器で冷却された空気が吹出口から収納室の内部に吹き出されることにより、商品陳列棚に陳列された商品が所望の温度状態に調整されることになる。
【０００３】
かかるショーケースにおける商品陳列棚には、固定式のものの他に、商品補充の利便性等を考慮したスライド式のものが知られている。このようなスライド式の商品陳列棚は、棚板、ブラケット部材及びレール部材を備えて構成されている。
【０００４】
棚板は、平板状のものであり、上面が商品を載置する商品陳列面を構成している。この棚板には、両側部における下面に設けられた棚板補強材に２つの棚板ローラ部材が配設されている。ブラケット部材は、収納室を画成する背面パネルの支柱に支持された左右一対のものである。このブラケット部材には、互いに対向する対向面に２つのブラケットローラ部材が配設されている。レール部材は、棚板ローラ部材の進入を許容し、かつ進入した棚板ローラ部材を相対的に前後方向に沿って移動可能に支持する縦断面が略コ字状の棚板レール部と、ブラケットローラ部材の進入を許容し、かつ進入したブラケットローラ部材を相対的に前後方向に沿って移動可能に支持する縦断面が略コ字状のブラケットレール部とが互いに背中合わせとなる態様で接合されてなり、棚板が前後方向に沿って移動することを許容するものである（例えば、特許文献１参照）。
【先行技術文献】
【特許文献】
【０００５】
【特許文献１】特開２０１１−２５００４号公報
【発明の概要】
【発明が解決しようとする課題】
【０００６】
ところで、上述したような特許文献１に提案されているようなショーケースの商品陳列棚においては、棚板とブラケット部材との間に介在するレール部材が、縦断面が略コ字状の棚板レール部と、縦断面が略コ字状の棚板レール部とが互いに背中合わせとなる態様で接合されてなるものであったために、棚板ローラ部材が相対的に前後方向に沿って移動する領域と、ブラケットローラ部材が相対的に前後方向に沿って移動する領域とが左右隣り合わせとなっていた。そのため、棚板を前後方向にスライド移動させるための機構の幅方向のスペースを十分に確保する必要があり、この結果、商品を載置するための商品載置面の縮小化等により、商品の陳列数の低減化を招来する虞れがあった。
【０００７】
本発明は、上記実情に鑑みて、ショーケース全体を大型化することなく、商品の陳列数の増大化を図ることができるショーケースの商品陳列棚を提供することを目的とする。
【課題を解決するための手段】
【０００８】
上記目的を達成するために、本発明の請求項１に係るショーケースの商品陳列棚は、前面に開口が形成されたケース本体の収納室に上下方向に沿って複数段設けられ、かつ収納対象である商品を陳列するものであり、前記収納室を画成する背面パネルの支柱にそれぞれ支持され、かつ互いに対向する対向面の前端域に第１滑動部材が配設された左右一対のブラケット部材と、前記ブラケット部材に係合手段を介して係合されており、上面が前記商品を載置する商品載置面を構成し、かつ下面よりそれぞれが前記対向面に対向する態様で下方に延在する左右一対の下延部の後端域に第２滑動部材が配設された棚板とを備えたショーケースの商品陳列棚において、前記係合手段は、前記棚板のそれぞれの下延部における前記第２滑動部材の前方域に配設され、かつ該下延部が対向する対向面に配設された第１滑動部材に載置された状態で該第１滑動部材が相対的に前後方向に沿って移動することを許容する棚板レール部と、前記ブラケット部材の対向面における前記第１滑動部材の後方域に配設されており、該対向面が対向する下延部に配設された第２滑動部材の進入を許容し、かつ進入した第２滑動部材を相対的に前後方向に沿って移動可能に支持する縦断面が略コ字状のブラケットレール部とを備え、前記棚板を前記ブラケット部材に対し前後方向に沿って移動可能に係合させたことを特徴とする。
【０００９】
また、本発明の請求項２に係るショーケースの商品陳列棚は、上述した請求項１において、前記ブラケットレール部は、相対的に前方に向けて移動する前記第２滑動部材に当接された場合に、該第２滑動部材がそれ以上相対的に前方に向けて移動することを規制するストッパ部材を備えたことを特徴とする。
【００１０】
また、本発明の請求項３に係るショーケースの商品陳列棚は、上述した請求項１又は請求項２において、前記ブラケットレール部は、相対的に後方に向けて移動する前記第２滑動部材が予め設定された移動限界位置に達した場合に、該第２滑動部材を係止させるブラケット係止部を備え、前記棚板レール部は、前記第２滑動部材が前記ブラケット係止部に係止する場合に、前記第１滑動部材を係止させる棚板係止部を備えたことを特徴とする。
【００１１】
また、本発明の請求項４に係るショーケースの商品陳列棚は、上述した請求項３において、前記ブラケット係止部は、前記第２滑動部材の一部が進入することで該第２滑動部材と係止状態になるブラケット凹部及びブラケット孔部の少なくとも一方により構成され、前記棚板係止部は、前記第１滑動部材の一部が進入することで該第１滑動部材と係止状態になる棚板凹部及び棚板孔部の少なくとも一方により構成されることを特徴とする。
【発明の効果】
【００１２】
本発明によれば、第１滑動部材に載置された状態で該第１滑動部材が相対的に前後方向に沿って移動することを許容する棚板レール部が棚板のそれぞれの下延部における第２滑動部材の前方域に配設され、第２滑動部材の進入を許容し、かつ進入した第２滑動部材を相対的に前後方向に沿って移動可能に支持する縦断面が略コ字状のブラケットレール部がブラケット部材の対向面における第１滑動部材の後方域に配設されているので、第１滑動部材が相対的に前後方向に沿って移動する領域と、第２滑動部材が相対的に前後方向に沿って移動する領域とが前後に重なり合っており、これにより棚板を前後方向にスライド移動させるための機構の幅方向の長さを低減させることができる。このように棚板を前後方向にスライド移動させるための機構の幅方向の長さを低減させることができるので、商品陳列棚の左右幅の大きさは同じでも商品を載置するための商品載置面の拡大させることができる。従って、ショーケース全体を大型化することなく、商品の陳列数の増大化を図ることができるという効果を奏する。
【図面の簡単な説明】
【００１３】
【図１】図１は、本発明の実施の形態である商品陳列棚が適用されたショーケースの内部構造を側方から見た場合を模式的に示す断面側面図である。
【図２】図２は、図１に示した商品陳列棚（本実施の形態である商品陳列棚）の正面図である。
【図３】図３は、図２におけるＡ−Ａ線断面図である。
【図４】図４は、図２及び図３に示したブラケットの正面図である。
【図５】図５は、図４におけるＢ−Ｂ線断面図である。
【図６】図６は、図２及び図３に示した棚板の平面図である。
【図７】図７は、図６に示した棚板の正面図である。
【図８】図８は、図７におけるＣ−Ｃ線断面図である。
【図９】図９は、図３に示した棚板を前方に移動させた状態を示す断面側面図である。
【図１０】図１０は、本発明の実施の形態である商品陳列棚の変形例を示す縦断面図である。
【図１１】図１１は、図１０に示した棚板を前方に移動させた状態を示す断面側面図である。
【図１２】図１２は、本発明の実施の形態である商品陳列棚の他の変形例を示す縦断面図である。
【図１３】図１３は、図１２に示した棚板を前方に移動させた状態を示す断面側面図である。
【発明を実施するための形態】
【００１４】
以下に添付図面を参照して、本発明に係るショーケースの商品陳列棚の好適な実施の形態について詳細に説明する。
【００１５】
図１は、本発明の実施の形態である商品陳列棚が適用されたショーケースの内部構造を側方から見た場合を模式的に示す断面側面図である。ここで例示するショーケースは、ケース本体１を備えている。
【００１６】
ケース本体１は、前面に開口（以下、前面開口ともいう）１ａが形成された略直方状の断熱筐体であり、その内部には収納室２が画成されているとともに、空気循環手段３が設けられている。
【００１７】
収納室２は、上記前面開口１ａを臨む態様で画成された室であり、複数（図示の例では５つ）の商品陳列棚１０が上下方向に沿って複数段並べて配設されている。商品陳列棚１０は、それぞれ商品を載置して陳列するためのものであり、その構成については後述する。かかる収納室２の底部にはデッキパン９が配設されている。デッキパン９は、上記商品陳列棚１０と同様に、商品を載置して陳列するためのものである。
【００１８】
空気循環手段３は、空気通路４と循環ファン５とを備えて構成されている。空気通路４は、吸込口６から吹出口７に至る空気の通路である。ここに吸込口６は、収納室２の内部の空気を吸い込むための開口であり、収納室２の左右方向に沿って延設されている。この吸込口６は、収納室２の下側前方縁部、すなわちケース本体１の前面開口１ａ近傍の下部に配設されている。吹出口７は、図示の例では２つ設けてあり、収納室２の内部に空気を吹き出すための開口である。これら吹出口７は、それぞれが収納室２の左右方向に延設してあって、収納室２の上側前方縁部、すなわちケース本体１の前面開口１ａ近傍の上部に前後に並設されている。
【００１９】
このような空気通路４は、収納室２外であってその下方にある下方ダクト４ａと、収納室２外であってその背面側にある背面ダクト４ｂと、収納室２外であってその上方にある上方ダクト４ｃとを互いに連通した態様で構成されている。
【００２０】
循環ファン５は、空気を循環させるものであり、下方ダクト４ａの所定部位に配設されている。本実施の形態においては、循環ファン５は下方ダクト４ａの所定部位に配設されているが、本発明では、循環ファンの配設位置は特に限定されるものではなく、後述する循環ファンの機能を発揮することができる個所であればどこに配設しても構わない。
【００２１】
このような空気循環手段３においては、循環ファン５が駆動することにより吸込口６を通じて収納室２の内部にある空気（内部空気）を吸い込み、吸い込んだ空気が空気通路４を通過する態様で吹出口７まで送出し、吹出口７を通じて送出した空気を収納室２の内部に吹き出すことにより、収納室２の内部と外部との間で空気を循環させるものである。
【００２２】
上記空気通路４の内方通路４ｉには、蒸発器８が設けられている。蒸発器８は、図示せぬ圧縮機、凝縮器及び膨張機構とともに冷媒を循環させる冷媒循環手段を構成している。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２３】
蒸発器８は、循環ファン５が駆動することにより内方通路４ｉを下方から上方に向けて通過する空気と、膨張機構で断熱膨張された冷媒とを熱交換させるもの、より詳細には、冷媒を蒸発させることにより内方通路４ｉを通過する空気を冷却する冷却器である。この蒸発器８で蒸発した冷媒は、再び圧縮機に戻り圧縮されることになる。
【００２４】
このようなショーケースにおいては、循環ファン５及び圧縮機が駆動することにより、各商品陳列棚１０に陳列された商品を所望の温度に保持することができる。
【００２５】
循環ファン５の駆動により、収納室２の内部の空気は、吸込口６を通じて吸い込まれ、下方ダクト４ａを通過し、その途中から外方通路４ｏ及び内方通路４ｉのいずれかに進入する。外方通路４ｏに進入した空気は、背面ダクト４ｂ及び上方ダクト４ｃを通じて前側吹出口７ａに至り、前側吹出口７ａから吹き出される。この前側吹出口７ａから吹き出された空気は、吸込口６に向かって流れることによりエアカーテンを形成し、前面開口１ａからの外気の進入を抑制することになる。
【００２６】
一方、下方ダクト４ａの途中から内方通路４ｉに進入した空気は、蒸発器８を通過して冷却され、冷気となって背面ダクト４ｂ及び上方ダクト４ｃを通過し、後側吹出口７ｂより吹き出される。この後側吹出口７ｂより吹き出される空気（冷気）は、吸込口６に向けて流れることによりエアカーテンを形成し、収納室２の内部にある商品、すなわち商品陳列棚１０及びデッキパン９に載置されることにより陳列された商品を冷却することになる。
【００２７】
図２は、図１に示した商品陳列棚（本実施の形態である商品陳列棚）の正面図であり、図３は、図２におけるＡ−Ａ線断面図である。尚、これら図２及び図３においては、１つの商品陳列棚しか示していないが、他の商品陳列棚も同様の構成を有している。これら図２及び図３にも示すように、商品陳列棚１０は、ブラケット２０及び棚板３０を備えて構成されている。
【００２８】
図４は、図２及び図３に示したブラケットの正面図であり、図５は、図４におけるＢ−Ｂ線断面図である。
【００２９】
これら図４及び図５にも示すように、ブラケット２０は、例えば鋼板等を加工して形成されたものであり、左右一対となるものである。これらブラケット２０は、前後方向が長手方向となる長尺板状部材であり、正面側から見た場合にＬ字状を成すものである。かかるブラケット２０は、それぞれケース本体１の収納室２を画成する背面パネル２ａの支柱（図示せず）に支持されて配設されている。より詳細には、各ブラケット２０の後端部に配設された係合片２１が、該支柱に形成された図示せぬ係合孔に挿通することにより支持されて配設されている。
【００３０】
このようなブラケット２０においては、互いの内面が対向するように配設されており、各内面が対向面となる。そして、左側に配設されたブラケット２０（以下、左側ブラケット２０Ｌともいう）の対向面である右側面、並びに右側に配設されたブラケット２０（以下、右側ブラケット２０Ｒともいう）の対向面である左側面の前方域には、それぞれ１つのブラケットローラ部材（第１滑動部材）２２が段付ネジ等のネジ部材２３により固定されている。このブラケットローラ部材２２は、ネジ部材２３の中心軸を軸心としてその軸心回りに回転自在に配設されている。
【００３１】
図６は、図２及び図３に示した棚板の平面図であり、図７は、図６に示した棚板３０の正面図であり、図８は、図７におけるＣ−Ｃ線断面図である。
【００３２】
これら図６〜図８に示すように、棚板３０は、例えば鋼板等を適宜屈曲させて形成した板状部材である。この棚板３０は、両側部が下方に向けて屈曲されているとともに、後端部が上方に向けて屈曲されており、その上面が収納対象となる商品を載置する商品載置面を構成している。また、棚板３０の下面の両側近傍部位には、鋼板等から形成された左右一対の棚板補強材３１が配設されている。棚板補強材３１は、正面から見た場合にそれぞれがＬ字状を成している。
【００３３】
左側に配設された棚板補強材３１（以下、左側棚板補強材３１Ｌともいう）は、棚板３０の下面に接合する左側接合部３１１Ｌと、この左側接合部３１１Ｌの左端から下方に向けて延在し、かつ左側ブラケット２０Ｌの右側面（対向面）に対向する左側下延部３１２Ｌとを有して構成されている。
【００３４】
右側に配設された棚板補強材３１（以下、右側棚板補強材３１Ｒともいう）は、棚板３０の下面に接合する右側接合部３１１Ｒと、この右側接合部３１１Ｒの右端から下方に向けて延在し、かつ右側ブラケット２０Ｒの左側面（対向面）に対向する右側下延部３１２Ｒとを有して構成されている。
【００３５】
これら２つの棚板補強材３１の後方域、すなわち左側棚板補強材３１Ｌの左側下延部３１２Ｌの後方域及び右側棚板補強材３１Ｒの右側下延部３１２Ｒの後方域の各外面には、それぞれ１つの棚板ローラ部材（第２滑動部材）３２が段付ネジ等のネジ部材３３により固定されている。これら棚板ローラ部材３２は、ネジ部材３３の中心軸を軸心としてその軸心回りに回転自在に配設されている。
【００３６】
以上説明したブラケット２０及び棚板３０は、上記構成に加えて次のような構成を有している。上記ブラケット２０の各対向面のブラケットローラ部材２２よりも後方域、すなわち左側ブラケット２０Ｌの右側面、並びに右側ブラケット２０Ｒの左側面のブラケットローラ部材２２よりも後方域には、ブラケットレール部２４が設けられている。
【００３７】
ブラケットレール部２４は、縦断面が略コ字状をなし、前後方向が長手方向となる長尺状のものである。このブラケットレール部２４は、上下方向に沿って延在するブラケット側基部２４１と、ブラケット側基部２４１の上端から水平方向に延在する上部水平延在部２４２と、上部水平延在部２４２の延在端部より斜め下方に向けて僅かに傾斜して延在する傾斜部２４３と、ブラケット側基部２４１の下端から水平方向に延在する下部水平延在部２４４とを有して構成されている。
【００３８】
上部水平延在部２４２と下部水平延在部２４４との離間距離は、棚板ローラ部材３２が進入可能な大きさを有しており、進入した棚板ローラ部材３２は、下部水平延在部２４４の上面を転動面として前後方向に沿って相対的に移動することになる。また傾斜部２４３の延在長さは、上部水平延在部２４２と下部水平延在部２４４との間に進入した棚板ローラ部材３２が左右方向に相対的に移動して抜け出すことを規制することができる大きさに調整されている。
【００３９】
またブラケットレール部２４のブラケット側基部２４１の前端側下部には、ストッパ用孔２５が形成されており、該ストッパ用孔２５を挿通する態様でストッパ部材２６が設けられている。ストッパ部材２６は、ブラケットレール部２４に進入した棚板ローラ部材３２が相対的に前方に向けて移動することで、該棚板ローラ部材３２に当接された場合に、該棚板ローラ部材３２がそれ以上相対的に前方に向けて移動することを規制するものである。
【００４０】
上記棚板３０の下延部の外面における棚板ローラ部材３２の前方域、すなわち左側棚板補強材３１Ｌの左側下延部３１２Ｌの外面及び右側棚板補強材３１Ｒの右側下延部３１２Ｒの外面における棚板ローラ部材３２の前方域には、棚板レール部３４が設けられている。
【００４１】
棚板レール部３４は、前後方向が長手方向となる長尺状のものである。この棚板レール部３４は、上下方向に沿って延在する棚板側基部３４１と、棚板側基部３４１の上端から水平方向に延在する上方水平延在部３４２と、上方水平延在部３４２の延在端部より斜め下方に向けて僅かに傾斜して延在する斜下部３４３とを有して構成されている。
【００４２】
このような棚板レール部３４は、上方水平延在部３４２がブラケットローラ部材２２に載置された状態で、つまり上方水平延在部３４２の下面が転動面としてブラケットローラ部材２２に当接してブラケットローラ部材２２が相対的に前後方向に沿って移動することを許容するものである。また、斜下部３４３の延在長さは、上方水平延在部３４２の下面に当接するブラケットローラ部材２２が左右方向に相対的に移動して抜け出すことを規制することができる大きさに調整されている。
【００４３】
このような構成を有する棚板３０を、棚板レール部３４の上方水平延在部３４２をブラケットローラ部材２２に載置させ、かつ棚板ローラ部材３２をブラケットレール部２４に進入させることで、ブラケット２０に係合させて商品陳列棚１０が構成される。その後、棚板３０を後方側に向けて移動させることで、図３に示したような収納姿勢となる。
【００４４】
このような収納姿勢にある商品陳列棚１０に対して、棚板３０が前方に向けて移動させられると、棚板ローラ部材３２が、ブラケットレール部２４を前方に向けて相対的に移動するとともに、ブラケットローラ部材２２が棚板レール部３４を後方に向けて相対的に移動する。そして、図９に示すように、棚板ローラ部材３２がストッパ部材２６に当接すると、棚板３０の前方に向けての移動が規制され、商品陳列棚１０は補充姿勢となる。このような補充姿勢となる商品陳列棚１０を上記収納姿勢にする場合には、棚板３０を後方に向けて移動させればよい。
【００４５】
以上説明したように本発明の実施の形態である商品陳列棚１０においては、棚板ローラ部材３２の進入を許容し、かつ進入した棚板ローラ部材３２を相対的に前後方向に沿って移動可能に支持する縦断面が略コ字状のブラケットレール部２４がブラケットローラ部材２２の後方域に配設され、かつブラケットローラ部材２２に載置された状態で該ブラケットローラ部材２２が相対的に前後方向に沿って移動することを許容する棚板レール部３４が棚板ローラ部材３２の前方域に配設されていることで、図２に拡大して示すように、棚板ローラ部材３２が相対的に前後方向に沿って移動する領域と、ブラケットローラ部材２２が相対的に前後方向に沿って移動する領域とが前後に重なり合っており、これにより棚板３０を前後方向にスライド移動させるための機構の幅方向の長さＬを低減させることができる。このように棚板３０を前後方向にスライド移動させるための機構の幅方向の長さＬを低減させることができるので、商品陳列棚１０の左右幅の大きさは同じでも商品を載置するための商品載置面の拡大させることができる。従って、本実施の形態である商品陳列棚１０によれば、ショーケース全体を大型化することなく、商品の陳列数の増大化を図ることができる。
【００４６】
また、上記商品陳列棚１０によれば、従来のようなレール部材を必要としないので、部品点数を削減することができ、これにより製造コストの低減化を図ることができる。
【００４７】
以上、本発明の好適な実施の形態について説明したが、本発明はこれに限定されるものではなく、種々の変更を行うことができる。以下に図を参照しながら説明する。
【００４８】
図１０は、本発明の実施の形態である商品陳列棚の変形例を示す縦断面図である。尚、上述した実施の形態である商品陳列棚１０と同一の構成要素については同一の符号を付してその説明を適宜省略する。
【００４９】
ここで例示する商品陳列棚１０１は、ブラケット２０１及び棚板３０１を備えて構成されている。ブラケット２０１は、例えば鋼板等を加工して形成されたものであり、左右一対となるものである。これらブラケット２０１は、それぞれケース本体１の収納室２を画成する背面パネル２ａの支柱（図示せず）に支持されて配設されており、ブラケットローラ部材２２及びブラケットレール部２４ａを有している。
【００５０】
ブラケットレール部２４ａは、縦断面が略コ字状をなし、前後方向が長手方向となる長尺状のものである。このようなブラケットレール部２４ａにおける下部水平延在部２４４にはブラケット凹部２４５が設けられている。
【００５１】
ブラケット凹部２４５は、商品陳列棚１０１が収納姿勢となる場合、すなわち相対的に後方に向けて移動する棚板ローラ部材３２が後方移動限界位置に達した場合に、棚板ローラ部材３２の一部が進入することで該棚板ローラ部材３２と係止状態になるものである。
【００５２】
棚板３０１は、上面が収納対象となる商品を載置する商品載置面を構成しているとともに、下面に左右一対の棚板補強材３１が配設されている。これら左右一対の棚板補強材３１には、棚板ローラ部材３２及び棚板レール部３４ａが設けられている。棚板レール部３４ａは、前後方向が長手方向となる長尺状のものである。このような棚板レール部３４ａにおける上方水平延在部３４２には棚板凹部３４４が設けられている。
【００５３】
棚板凹部３４４は、商品陳列棚１０１が収納姿勢となる場合、すなわち棚板ローラ部材３２がブラケット凹部２４５に係止する場合に、ブラケットローラ部材２２の一部が進入することで該ブラケットローラ部材２２と係止状態になるものである。
【００５４】
このような商品陳列棚１０１においては、収納姿勢にある場合、ブラケットローラ部材２２が棚板凹部３４４に係止し、かつ棚板ローラ部材３２がブラケット凹部２４５に係止することで、棚板３０１が前方に移動してしまうことを規制することができる。
【００５５】
このような収納姿勢にある商品陳列棚１０１に対して、棚板３０１が前方に向けて移動させられると、棚板ローラ部材３２がブラケット凹部２４５から離脱してブラケットレール部２４ａを前方に向けて相対的に移動するとともに、ブラケットローラ部材２２が棚板凹部３４４から離脱して棚板レール部３４ａを後方に向けて相対的に移動する。そして、図１１に示すように、棚板ローラ部材３２がストッパ部材２６に当接すると、棚板３０１の前方に向けての移動が規制され、商品陳列棚１０１は補充姿勢となる。このような補充姿勢となる商品陳列棚１０１を上記収納姿勢にする場合には、棚板３０１を後方に向けて移動させればよい。
【００５６】
このような商品陳列棚１０１においても、棚板ローラ部材３２の進入を許容し、かつ進入した棚板ローラ部材３２を相対的に前後方向に沿って移動可能に支持する縦断面が略コ字状のブラケットレール部２４ａがブラケットローラ部材２２の後方域に配設され、かつブラケットローラ部材２２に載置された状態で該ブラケットローラ部材２２が相対的に前後方向に沿って移動することを許容する棚板レール部３４ａが棚板ローラ部材３２の前方域に配設されていることで、棚板ローラ部材３２が相対的に前後方向に沿って移動する領域と、ブラケットローラ部材２２が相対的に前後方向に沿って移動する領域とが前後に重なり合っており、これにより棚板３０１を前後方向にスライド移動させるための機構の幅方向の長さを低減させることができる。このように棚板３０１を前後方向にスライド移動させるための機構の幅方向の長さを低減させることができるので、商品陳列棚１０１の左右幅の大きさは同じでも商品を載置するための商品載置面の拡大させることができる。従って、ショーケース全体を大型化することなく、商品の陳列数の増大化を図ることができる。
【００５７】
しかも商品陳列棚１０１が収納姿勢にある場合に、棚板３０１が前方に移動することを規制する機構を、ブラケットレール部２４ａ及び棚板レール部３４ａの一部を変形させることで実現しているので、新たな別部品を設ける必要がなく、部品点数の削減によるコストの低減化を図ることができるとともに、組立効率の向上を図ることができる。
【００５８】
図１２は、本発明の実施の形態である商品陳列棚の他の変形例を示す縦断面図である。尚、上述した実施の形態である商品陳列棚１０と同一の構成要素については同一の符号を付してその説明を適宜省略する。
【００５９】
ここで例示する商品陳列棚１０２は、ブラケット２０２及び棚板３０２を備えて構成されている。ブラケット２０２は、例えば鋼板等を加工して形成されたものであり、左右一対となるものである。これらブラケット２０２は、それぞれケース本体１の収納室２を画成する背面パネル２ａの支柱（図示せず）に支持されて配設されており、ブラケットローラ部材２２及びブラケットレール部２４ｂを有している。
【００６０】
ブラケットレール部２４ｂは、縦断面が略コ字状をなし、前後方向が長手方向となる長尺状のものである。このようなブラケットレール部２４ｂにおける下部水平延在部２４４にはブラケット孔部２４６が設けられている。
【００６１】
ブラケット孔部２４６は、商品陳列棚１０２が収納姿勢となる場合、すなわち相対的に後方に向けて移動する棚板ローラ部材３２が後方移動限界位置に達した場合に、棚板ローラ部材３２の一部が進入することで該棚板ローラ部材３２と係止状態になるものである。
【００６２】
棚板３０２は、上面が収納対象となる商品を載置する商品載置面を構成しているとともに、下面に左右一対の棚板補強材３１が配設されている。これら左右一対の棚板補強材３１には、棚板ローラ部材３２及び棚板レール部３４ｂが設けられている。棚板レール部３４ｂは、前後方向が長手方向となる長尺状のものである。このような棚板レール部３４ｂにおける上方水平延在部３４２には棚板孔部３４５が設けられている。
【００６３】
棚板孔部３４５は、商品陳列棚１０２が収納姿勢となる場合、すなわち棚板ローラ部材３２がブラケット孔部２４６に係止する場合に、ブラケットローラ部材２２の一部が進入することで該ブラケットローラ部材２２と係止状態になるものである。
【００６４】
このような商品陳列棚１０２においては、収納姿勢にある場合、ブラケットローラ部材２２が棚板孔部３４５に係止し、かつ棚板ローラ部材３２がブラケット孔部２４６に係止することで、棚板３０２が前方に移動してしまうことを規制することができる。
【００６５】
このような収納姿勢にある商品陳列棚１０２に対して、棚板３０２が前方に向けて移動させられると、棚板ローラ部材３２がブラケット孔部２４６から離脱してブラケットレール部２４ｂを前方に向けて相対的に移動するとともに、ブラケットローラ部材２２が棚板孔部３４５から離脱して棚板レール部３４ｂを後方に向けて相対的に移動する。そして、図１３に示すように、棚板ローラ部材３２がストッパ部材２６に当接すると、棚板３０２の前方に向けての移動が規制され、商品陳列棚１０２は補充姿勢となる。このような補充姿勢となる商品陳列棚１０２を上記収納姿勢にする場合には、棚板３０２を後方に向けて移動させればよい。
【００６６】
このような商品陳列棚１０２においても、棚板ローラ部材３２の進入を許容し、かつ進入した棚板ローラ部材３２を相対的に前後方向に沿って移動可能に支持する縦断面が略コ字状のブラケットレール部２４ｂがブラケットローラ部材２２の後方域に配設され、かつブラケットローラ部材２２に載置された状態で該ブラケットローラ部材２２が相対的に前後方向に沿って移動することを許容する棚板レール部３４ｂが棚板ローラ部材３２の前方域に配設されていることで、棚板ローラ部材３２が相対的に前後方向に沿って移動する領域と、ブラケットローラ部材２２が相対的に前後方向に沿って移動する領域とが前後に重なり合っており、これにより棚板３０２を前後方向にスライド移動させるための機構の幅方向の長さを低減させることができる。このように棚板３０２を前後方向にスライド移動させるための機構の幅方向の長さを低減させることができるので、商品陳列棚１０２の左右幅の大きさは同じでも商品を載置するための商品載置面の拡大させることができる。従って、ショーケース全体を大型化することなく、商品の陳列数の増大化を図ることができる。
【００６７】
しかも商品陳列棚１０２が収納姿勢にある場合に、棚板３０２が前方に移動することを規制する機構を、ブラケットレール部２４ｂ及び棚板レール部３４ｂの一部を変形させることで実現しているので、新たな別部品を設ける必要がなく、部品点数の削減によるコストの低減化を図ることができるとともに、組立効率の向上を図ることができる。
【００６８】
以上説明したような本発明の実施の形態の変形例では、ブラケット凹部（２４５）及び棚板凹部（３４４）が設けられた場合（図１０及び図１１参照）と、ブラケット孔部（２４６）及び棚板孔部（３４５）が設けられた場合（図１２及び図１３参照）とについて説明したが、本発明においては、第２滑動部材が移動限界位置に達した場合に、第２滑動部材を係止させるブラケット係止部と、第２滑動部材がブラケット係止部に係止する場合に、第１滑動部材を係止させる棚板係止部とを有していればよい。
【００６９】
従って、ブラケットレール部にブラケット凹部が設けられている場合に、棚板レール部に棚板孔部が設けられていてもよいし、ブラケットレール部にブラケット孔部が設けられている場合に棚板レール部に棚板凹部が設けられていてもよい。更に、このような凹部や孔部に限られず、滑動部材（第１滑動部材及び第２滑動部材）を係止させることができればどのような形態を有していてもよい。
【産業上の利用可能性】
【００７０】
以上のように、本発明に係る商品陳列棚は、収納対象となる商品を所望の温度状態に保持するようにしたショーケースに有用である。
【符号の説明】
【００７１】
１  ケース本体
２  収納室
２ａ  背面パネル
１０  商品陳列棚
２０  ブラケット
２２  ブラケットローラ部材
２３  ネジ部材
２４  ブラケットレール部
２４１  ブラケット側基部
２４２  上部水平延在部
２４３  傾斜部
２４４  下部水平延在部
２６  ストッパ部材
３０  棚板
３１  棚板補強材
３１１Ｌ  左側接合部
３１２Ｌ  左側下延部
３１１Ｒ  右側接合部
３１２Ｒ  右側下延部
３２  棚板ローラ部材
３３  ネジ部材
３４  棚板レール部
３４１  棚板側基部
３４２  上方水平延在部
３４３  斜下部
【図１】
2013179990.tif 000003
【図２】
2013179990.tif 000004
【図３】
2013179990.tif 000005
【図４】
2013179990.tif 000006
【図５】
2013179990.tif 000007
【図６】
2013179990.tif 000008
【図７】
2013179990.tif 000009
【図８】
2013179990.tif 000010
【図９】
2013179990.tif 000011
【図１０】
2013179990.tif 000012
【図１１】
2013179990.tif 000013
【図１２】
2013179990.tif 000014
【図１３】
2013179990.tif 000015